(57)【要約】【課題】包装構造を簡素化することにより省資源化を実現でき、しかも帯状フィルムに皺ができることをよって、単位包装体の外観上の印象が損なわれるのを確実に解消できる、新規な情報記録媒体の包装構造を提供する。【解決手段】収納ケース５の開口部３の伸び方向である左右方向に向かって、該収納ケース５の外周面を一周するように、所定の前後方向の幅寸法を有する熱収縮性の帯状フィルム６を巻き付ける。これにて、帯状フィルム６を前後方向に向かって収納ケース５の外周面に巻き付ける従来形態では不可避であった、収納ケース５の前面の開口部３にインデックスカードＳ１の前面片９が侵入することに起因して、インデックスカードＳ１と帯状フィルム６との間に隙間が生じて帯状フィルム６に弛みが生じ、その結果、帯状フィルム６に皺１２ができることを確実に防ぐことができる。【選択図】図１
2006176198.tif 000002
【特許請求の範囲】
【請求項１】
カートリッジ化された情報記録媒体と、前面に前記情報記録媒体の挿脱用の開口部を備える左右横長のブックケース型の収納ケースと、前記収納ケースに添付されたインデックスカードとを包装対象とする情報記録媒体の包装構造であって、
前記インデックスカードは、上面片と、該上面片の前端から垂直方向に折り曲げられた前面片と、該前面片の下端から後方向に折り曲げられた下面片とを含んでコ字状に折り曲げ形成されており、前記前面片で前記収納ケースの開口部を塞ぎ、前記上下面片で前記収納ケースのケース上面とケース下面の一部を覆うように添付されており、
前記開口部の伸び方向である左右方向に向かって、前記収納ケースの外周面を一周するように、しかも前記インデックスカードの上下面片の一部を覆うように、所定の前後方向の幅寸法を有する熱収縮性の帯状フィルムが巻き付けられていることを特徴とする情報記録媒体の包装構造。
【請求項２】
カートリッジ化された情報記録媒体と、前面に前記情報記録媒体の挿脱用の開口部を備える左右横長のブックケース型の収納ケースと、前記収納ケースに添付されたインデックスカードとを包装対象とし、これらを熱収縮性の帯状フィルムで封止包装して単位包装体とするとともに、該単位包装体の複数個を集積し、その外周面全体を包装シートで封止包装してなる情報記録媒体の集合包装体であって、
前記インデックスカードは、上面片と、該上面片の前端から垂直方向に折り曲げられた前面片と、該前面片の下端から後方向に折り曲げられた下面片とを含んでコ字状に折り曲げ形成されており、前記前面片で前記収納ケースの開口部を塞ぎ、前記上下面片で前記収納ケースのケース上面とケース下面の一部を覆うように添付されており、
前記開口部の伸び方向である左右方向に向かって、前記収納ケースの外周面を一周するように、しかも前記インデックスカードの上下面片の一部を覆うように、所定の前後方向の幅寸法を有する熱収縮性の帯状フィルムが巻き付けられて単位包装体とされており、
前記単位包装体の複数個を集積し、その外周面全体を熱収縮性の包装シートで封止包装してなることを特徴とする情報記録媒体の集合包装体。
【発明の詳細な説明】
【技術分野】
【０００１】
本発明は、ディスクカートリッジやテープカートリッジなどの情報記録媒体の包装構造、およびこれら情報記録媒体の集合包装体に関する。
【背景技術】
【０００２】
本出願人は、包装構造を簡素化することにより省資源化を実現した、情報記録媒体用の包装構造を先に提案した（特許文献１）。そこでは、図５に示すように、情報記録媒体Ｍが収納されたブックケース型の収納ケース５を、インデックスカードＳ１とともに、前後方向に向かって収納ケース５の外周面を一周する熱収縮性の帯状フィルム６で封止包装して、単位包装体１１を得ている。インデックスカードＳ１は、上面片７と、該上面片７の前端から垂直方向に折り曲げられた前面片９と、該前面片９の下端から後方向に折り曲げられた下面片１０とを含んでコ字状に折り曲げ形成されており、前面片９で収納ケース５の開口部３を塞ぎ、上下面片７・１０で収納ケース５のケース上面５ａとケース下面５ｂの一部を覆うような姿勢状態で、帯状フィルム６で包装されている。同種の構成の包装形態は、特許文献２および３にも見受けられる。
【０００３】
【特許文献１】特開２００１−１９９４９４号公報
【特許文献２】特開２００１−０１０６６４号公報
【特許文献３】特開２００１−０１９０８２号公報
【発明の開示】
【発明が解決しようとする課題】
【０００４】
上記の包装構造によれば、収納ケース５の全周面を包装フィルムで覆っていた従来の包装構造に比べて、個々の情報記録媒体における包装用フィルムの使用量を減少して、省資源化を実現できる。しかし、収納ケース５の上面あるいは下面を覆う帯状フィルム６の部分に弛みが生じて皺１２ができやすく、単位包装体１１、あるいは複数個の単位包装体１１を集積化してなる集合包装体１６（本発明に係る図４参照）の外観上の印象を大きく損なう点に不利があった。
【０００５】
かかる皺１２は、以下のような要因により形成されると考える。すなわち、上記の包装構造では、所定の左右方向の幅寸法を有する帯状フィルム６を、収納ケース５の開口部３を含む前後方向に向かって、インデックスカードＳ１の上下面片７・１０と前面片９の一部を覆うように、収納ケース５の外周面を一周させている。かかる帯状フィルム６の巻き付け工程、およびその後の熱溶着工程時においては、インデックスカードＳ１が完全な断面コ字型を呈している状態で、帯状フィルム６はインデックスカードＳ１を含む収納ケース５の外周面に装着形成される。しかし、その後の輸送工程等において、何らかの要因により、図６に示すごとく収納ケース５の開口部３にインデックスカードＳ１の前面片９が侵入するように撓み変形すると、この撓み変形したぶんだけ、インデックスカードＳ１と帯状フィルム６との間に隙間が生じ、その結果、帯状フィルム６に弛みが生じて、これが図５のような皺１２となりやすい。かかる皺１２は、本発明に係る図４に示すごとく、帯状フィルム６に弛みがある状態で、複数個の単位包装体１１を集積化して、その外周面を熱収縮性の包装シート１３で密封した際に顕著に現出される。
【０００６】
本発明は、上述したような問題点を解決するためになされたものであり、その目的は、包装構造を簡素化することにより省資源化を実現でき、しかも帯状フィルムに皺ができることをよって、単位包装体、および該単位包装体の複数個を集積化してなる集合包装体の外観上の印象が損なわれるのを確実に解消できる情報記録媒体の包装構造、および情報記録媒体の集合包装体を提供することにある。
【課題を解決するための手段】
【０００７】
本発明は、図１ないし図３に示すごとく、カートリッジ化された情報記録媒体Ｍと、前面に前記情報記録媒体Ｍの挿脱用の開口部３を備える左右横長のブックケース型の収納ケース５と、前記収納ケース５に添付されたインデックスカードＳ１とを包装対象とする情報記録媒体の包装構造である。
【０００８】
前記インデックスカードＳ１は、上面片７と、該上面片７の前端から垂直方向に折り曲げられた前面片９と、該前面片９の下端から後方向に折り曲げられた下面片１０とを含んでコ字状に折り曲げ形成されており、前記前面片９で前記収納ケース５の開口部３を塞ぎ、前記上下面片７・１０で前記収納ケース５のケース上面５ａとケース下面５ｂの一部を覆うように添付されており、前記開口部３の伸び方向である左右方向に向かって、前記収納ケース５の外周面を一周するように、しかも前記インデックスカードＳ１の上下面片７・１０の一部を覆うように、所定の前後方向の幅寸法を有する熱収縮性の帯状フィルム６が巻き付けられていることを特徴とする。なお、包装対象には、タイトルカードＳ２を含めることができる。
【０００９】
また本発明は、図１ないし図４に示すごとく、カートリッジ化された情報記録媒体Ｍと、前面に前記情報記録媒体Ｍの挿脱用の開口部３を備える左右横長のブックケース型の収納ケース５と、前記収納ケース５に添付されたインデックスカードＳ１とを包装対象とし、これらを熱収縮性の帯状フィルム６で封止包装して単位包装体１１とするとともに、該単位包装体１１の複数個を集積し、その外周面全体を包装シート１３で封止包装してなる情報記録媒体の集合包装体である。
【００１０】
前記インデックスカードＳ１は、前記インデックスカードＳ１は、上面片７と、該上面片７の前端から垂直方向に折り曲げられた前面片９と、該前面片９の下端から後方向に折り曲げられた下面片１０とを含んでコ字状に折り曲げ形成されており、前記前面片９で前記収納ケース５の開口部３を塞ぎ、前記上下面片７・１０で前記収納ケース５のケース上面５ａとケース下面５ｂの一部を覆うように添付されており、前記開口部３の伸び方向である左右方向に向かって、前記収納ケース５の外周面を一周するように、しかも前記インデックスカードＳ１の上下面片７・１０の一部を覆うように、所定の前後方向の幅寸法を有する熱収縮性の帯状フィルム６が巻き付けられて単位包装体１１とされており、前記単位包装体１１の複数個を集積し、その外周面全体を熱収縮性の包装シート１３で封止包装してなることを特徴とする。なお、包装対象には、タイトルカードＳ２を含めることができる。
【発明の効果】
【００１１】
本発明に係る情報記録媒体の包装構造では、開口部３の伸び方向である左右方向に向かって収納ケース５の外周面を一周するように帯状フィルム６を巻き付けた。換言すれば、開口部３を避けて帯状フィルム６を巻き付けた。これによれば、帯状フィルム６を前後方向に向かって収納ケース５の外周面に巻き付ける従来形態（図５参照）では不可避であった、収納ケース５の前面の開口部３にインデックスカードＳ１の前面片９が侵入することに起因して（図６参照）、インデックスカードＳ１と帯状フィルム６との間に隙間が生じて帯状フィルム６に弛みが生じ、その結果、帯状フィルム６に皺１２ができることを防ぐことができる。これにて、図５の従来の包装構造のように、皺１２の存在によって、単位包装体１１の外観上の印象が損なわれることを確実に解消できる。加えて、帯状フィルム６を用いて情報記録媒体Ｍ、収納ケース５、インデックスカードＳ１を一体包装してあると、全体を包装用フィルムで覆う場合に比べて包装用フィルムの使用量が少なくて済み、省資源化に貢献できる。
【００１２】
また、図５のような皺１２は、特に、複数個の単位包装体１１を集積化して、集合包装体１６とした際に顕著に現出されるものである。つまり、帯状フィルム６に弛みが生じている状態で、単位包装体１１の複数個を集積し、その外周面全体を包装シート１３で封止包装して集合包装体１６とすると、該集合包装体１６の最外面に存する単位包装体１１の帯状フィルム６の弛みが、包装シート１３を熱収縮させた際にだぶ付いて、皺１２となって集合包装体１６の外面に現出しやすい。このように帯状フィルム６に皺１２があると、集積包装体１６の厚み寸法に差が生じ、複数個の集積包装体１６を店頭等において積み上げた際に段差ができて違和感を生じさせ、結果として商品性が損なわれるといった問題が生じていた。
【００１３】
その点本発明に係る情報記録媒体の集合包装体によれば、単位包装体１１の包装構造として、開口部３の伸び方向である左右方向に向かって収納ケース５の外周面を一周するように帯状フィルム６を巻き付けるようにし、これにて収納ケース５の前面の開口部３にインデックスカードＳ１の前面片９が侵入することに起因して（図６参照）、インデックスカードＳ１と帯状フィルム６との間に隙間が生じて帯状フィルム６に弛みが生じ、その結果、帯状フィルム６に皺１２（図５参照）ができることを防ぐことができるようにしたから、該単位包装体１１の複数個を集積し、その外周面全体を包装シート１３で封止包装して集合包装体１６とした場合においても、該集合包装体１６の外面に皺１２が現出されることが無く、従って、皺１２の存在によって集合包装体１６の外観上の印象が損なわれることを確実に解消できる。また、複数個の集合包装体１６を重ね合わせた状態でも段差の発生が無く、店頭等において違和感が無く並べることができて商品性が損なわれることも無い。
【発明を実施するための最良の形態】
【００１４】
図１ないし図４は本発明に係る情報記録媒体の包装構造および情報記録媒体の集合包装体の実施形態を示す。本実施形態では、図３に示すごとく、包装対象の情報記録媒体Ｍが、光磁気ディスク１が四角形状のカートリッジケース２に収容されたミニディスクである場合を示している。情報記録媒体Ｍは、前面に情報記録媒体Ｍの挿脱用の開口部３を備える左右横長のブックケース型に形成された収納ケース５と、インデックスカードＳ１、およびタイトルカードＳ２とともに、熱収縮性を有する樹脂製の帯状フィルム６で簡易包装される。収納ケース５は、例えばリサイクルの容易なポリプロピレン樹脂で成形されている。
【００１５】
インデックスカードＳ１は、上面片７と、該上面片７の前端から垂直方向に折り曲げられた前面片９と、該前面片９の下端から後方向に折り曲げられた下面片１０とを含んでコ字状に折り曲げ形成されている。
【００１６】
上記の包装対象は、情報記録媒体Ｍが装填された収納ケース５の下側にタイトルカードＳ２を重ね、さらにこれらの下側にコ字状に折り曲げられたインデックスカードＳ１を、上下面片８・１０で前記収納ケース５のケース上面５ａとケース下面５ｂの一部を覆うように添付する。このときインデックスカードＳ１の前面片９によって収納ケース５の開口部３は塞がれている。
【００１７】
この状態で、図１に示すごとく収納ケース５の外周面における前後方向の中央部に、一本の帯状フィルム６を左右方向に巻き付け、フィルム端どうしを重ねた状態で熱溶着し、帯状フィルムを無端リング状とする。予め無端リング状に形成しておいた帯状フィルム６を収納ケース５に外嵌装着してもよい。さらに、帯状フィルム６の端部どうしを接着して、無端リング状とすることができる。
【００１８】
この後に、帯状フィルム６を加熱して熱収縮させ、フィルム面を収納ケース５の外周面に密着させることにより、各包装対象を分離不能に包装する。このように帯状フィルム６を用いて情報記録媒体Ｍ、収納ケース５、インデックスカードＳ１およびタイトルカードＳ２の四者を一体包装すると、全体を包装用フィルムで覆う場合に比べて包装用フィルムの使用量が少なくて済み、省資源に寄与できる。
【００１９】
加えて、以上のようにして得られた単位包装体１１によれば、開口部３の伸び方向である左右方向に向かって収納ケース５の外周面を一周するように帯状フィルム６を巻き付けたので、つまり、開口部３を避けて帯状フィルム６を巻き付けたので、帯状フィルム６を前後方向に向かって収納ケース５の外周面に巻き付ける従来形態（図５参照）では不可避であった、収納ケース５の前面の開口部３にインデックスカードＳ１の前面片９が侵入することに起因して（図６参照）、インデックスカードＳ１と帯状フィルム６との間に隙間が生じて帯状フィルム６に弛みが生じ、その結果、帯状フィルムに皺１２ができることを確実に防ぐことができる。
【００２０】
複数個の単位包装体１１をひとまとめにして、パック包装した状態で販売する場合には、図４に示すように、例えば５個の単位包装体１１を重ね合わせて集積した後、その外周面全体を熱収縮性の包装シート１３で密封状に包装する。具体的には、例えば５個の単位包装体１１を前後に重ねてブロック状とし、その外周面を包装シート１３で筒状に包み込み、内外に重なるシート端どうしを集合包装体の下面側で熱溶着する。さらに、前後面にはみ出した包装シート１３の筒端を単位包装体１１の側面に沿って折り込み、この折り込み部分１５を熱溶着する。最後に、包装シート１３の全体を均等に加熱して熱収縮させ集合包装体を形成する。
【００２１】
上記実施形態においては、帯状フィルム６を用いて情報記録媒体Ｍ、収納ケース５、インデックスカードＳ１およびタイトルカードＳ２の四者を一体包装していたが、本発明をこれに限られず、帯状フィルム６を用いて情報記録媒体Ｍ、収納ケース５、およびインデックスカードＳ１の三者を一体包装して、これを単位包装体１１とすることができる。本発明はミニディスクに代表されるディスクカートリッジの包装構造に限られず、テープカートリッジの包装構造に適用することができる。
【図面の簡単な説明】
【００２２】
【図１】単位包装体の斜視図
【図２】単位包装体の縦断正面図
【図３】包装対象の分解斜視図
【図４】集合包装体の斜視図
【図５】従来の単位包装体の平面図
【図６】図５のＡ−Ａ線断面図
【符号の説明】
【００２３】
３  収納ケースの前面に形成された開口部
５  収納ケース
６  帯状フィルム
７  インデックスカードの上面片
９  インデックスカードの前面片
１０  インデックスカードの下面片
１１  単位包装体
１３  包装シート
１５  集合包装体
Ｍ  情報記録媒体
Ｓ１  インデックスカード
【図１】
2006176198.tif 000003
【図２】
2006176198.tif 000004
【図３】
2006176198.tif 000005
【図４】
2006176198.tif 000006
【図５】
2006176198.tif 000007
【図６】
2006176198.tif 000008